Podtech/llm-jp-corpus-v4-ja_patent huggingface dataset:
(57)【要約】      （修正有）【課題】ガスバーナー式ペルチェ発電機を搭載し、発電しつつ飛行することで、長時間飛行、軽量化、重量物の運搬、可搬性能向上を可能としたドローンを提供する。【解決手段】ドローン本体にはガスバーナー６とガスボンベ５とペルチェ素子３およびガスバーナーにより加熱されるディスプレーサー（蓄熱装置）４とを備え、ディスプレーサーからの熱をペルチェ素子に伝達し、ペルチェ素子が熱を電力に変換する。この一連の装置により発電された電力はドローン飛行用のモーターその他の電子機器を駆動するための電力に使われる。これによりドローン飛行用のモーターその他の電子機器を駆動するための電力を、ドローンが飛行しつつドローン自ら発電しながら飛行することが可能となる。【選択図】図１
2020117200.tif 000002
【特許請求の範囲】
【請求項１】
ドローンにより長時間の飛行を実現し、かつまたドローン本体の軽量化を図り重量物の運搬を容易にする手段において、ドローン本体にガスバーナーとガスボンベとペルチェ素子およびガスバーナーにより加熱されるディスプレーサーとを備え、ディスプレーサーからの熱をペルチェ素子に伝達し、ペルチェ素子が熱を電力に変換する。これにより発電された電力がドローン飛行用のモーターその他の電子機器を駆動するための電力に使われることで、ドローンが飛行しつつドローン自ら発電しながら飛行することを可能とするための一連の装置。
【発明の詳細な説明】
【技術分野】
【０００１】  本発明は、ガスバーナー式ペルチェ発電機をドローンに搭載し、発電しつつ飛行するための一連の装置に関するものである。
【発明の概要】
【発明が解決しようとする課題】
【０００２】  解決しようとする問題点は、ドローンにガスバーナー式ペルチェ発電機を搭載し、発電しつつ飛行することで効率的な飛行を可能にする点である。
【課題を解決するための手段】
【０００３】  本発明は、ガスバーナー式ペルチェ発電機をドローンに搭載し、発電しつつ飛行することで、ドローンにより長時間の飛行を実現し、かつまたドローン本体の軽量化を図り重量物の運搬を容易にすることを最も主要な特徴とする。ドローン本体にはガスバーナーとガスボンベとペルチェ素子およびガスバーナーにより加熱されるディスプレーサーとを備え、ディスプレーサーからの熱をペルチェ素子に伝達し、ペルチェ素子が熱を電力に変換する。この一連の装置により発電された電力はドローン飛行用のモーターその他の電子機器を駆動するための電力に使われる。これによりドローン飛行用のモーターその他の電子機器を駆動するための電力を、ドローンが飛行しつつドローン自ら発電しながら飛行することを可能とする。
【発明の効果】
【０００４】  本発明の利点は、ドローンが飛行するために必要な電力をバッテリー等の蓄電池または内燃機関を動力とする発電機等を用いずに供給する一手段として、ガスバーナー式ペルチェ発電機をドローンに搭載し、発電しつつ飛行することで、ドローンにより長時間の飛行を実現し、かつまたドローン本体の軽量化を図り重量物の運搬を容易にする点にある。一般的にバッテリーや発電機は非常に重く、ドローンの可搬性能を低下させる一因になっているが、ガスバーナー式ペルチェ発電機は軽量化が可能であり、ドローンの可搬性能および航続距離の伸長に効果がある。
【図面の簡単な説明】
【０００５】
【図１】ガスバーナー式ペルチェ発電機をドローンに搭載し、発電しつつ飛行することを目的とした、ガスバーナー式ペルチェ発電機を搭載したドローンに関する一連の装置（実施例１）。
【発明を実施するための形態】
【０００６】  ドローンにガスバーナー式ペルチェ発電機を搭載し、ドローンがガスバーナー式ペルチェ発電機で発電しつつ飛行するという目的を、最小の部品点数で、それぞれの部品の機能を損なわずに実現した。
【実施例１】
【０００７】  図１は、本発明装置の１実施例の概略図であって、１はドローン、２は熱伝導体、３はペルチェ素子、４はディスプレーサー（蓄熱装置）、５はガスボンベ、６はガスバーナーである。【０００８】  ドローンは飛行するための動力として電動モーターを搭載したものである以外は特にその形態を問わない。
【産業上の利用可能性】
【０００９】  従来のドローンの形態は電動モーター搭載ドローンまたはエンジン等の内燃機関搭載ドローンが主であるが、電動モーター搭載ドローンは大容量のバッテリーを搭載する必要があり、また内燃機関搭載ドローンにおいては内燃機関およびガソリン燃料等を搭載する必要がある。これらはいずれも非常に重く、ドローン自体の可搬性能を低下させる一因となっている。一方でガスバーナー式ペルチェ発電機はそれ自体の軽量化が容易であり、かつ燃料もガスなので軽量であるため、効率的なドローンの可搬性能向上と長時間飛行が可能となることから運送業者、レジャー業者、農業従事者（農薬散布等）などに益するものとなる。よってこれら幅広い分野に利用可能である。
【図１】
2020117200.tif 000003
(57)【要約】【課題】    既存のドローンは一部エンジン搭載のものがあるが、ほとんどがバッテリー駆動であり、一般的に１５分程度しか飛行できないため、遠距離を飛行することができない。  【解決手段】金属製の太い丈夫なワイヤ-を張り、該ワイヤ-の下側に、絶縁部を設定し、該絶縁部に接するように、導電性の高い板状の金属で二つの電極を設定する。また、二つの板状の該電極部と正対するように、該ドローンに二個の距離センサーを設定することで、該ドローンが該ワイヤーに付帯した二つの該電極に対して一定の距離を保ちながら飛行できるようにする。該電極部に電気を流し、該ドローンに設定された二つの給電用ブラシをそれぞれ二つの該電極に接触させ続けることで、該ドローンが飛行しながら電力を受け続けることができる。【選択図】図１
2020011659.tif 000002
【特許請求の範囲】
【請求項１】
金属製の太い丈夫なワイヤ-を張り、該ワイヤ-の下側に電気的な絶縁部を設定し、該絶縁部に導電性の高い板状の二つの金属を互いに離して接着することで、二つの電極を設定する。また、二つの板状の該電極と正対するように、該ドローンに二個の距離センサーを設定することで、該ドローンが該ワイヤーに付帯した二つの該電極に対して一定の距離を保ちながら飛行できるようにし、該電極にＤＣ又はＡＣの電気を流し、該ドローンに設定された二つの給電ブラシをそれぞれ二つの該電極に接触させ続けることで、該ドローンが飛行しながら電力を受け続けることができるドローン給電システム。
【発明の詳細な説明】
【技術分野】
【０００１】
本発明は、主に人の搬送や荷送用のドローンにおいて、外部からの電力を得ながら飛行するシステムに関するものである。
【背景技術】
【０００２】
既存のドローンは一部エンジン搭載のものがあるが、ほとんどがバッテリー駆動であり、一般的に１５分程度しか飛行できないため、遠距離を飛行することができない。また電源の有線式もあるが、有線だと長時間飛行できるが、長距離は有線の限界で難しい。
【先行技術文献】
【特許文献】
【０００３】
【特許文献１】特開２０１８−０７５８６９
【発明の概要】
【発明が解決しようとする課題】
【０００４】
ドローンが外部から電力を得ながら、長距離を飛行できるようにする。
【課題を解決するための手段】
【０００５】
金属製の太い丈夫なワイヤ-を張り、該ワイヤ-の下側に、絶縁部を設定し、該絶縁部に接するように、導電性の高い板状の金属で二つの電極を設定する。また、二つの板状の該電極部と正対するように、該ドローンに二個の距離センサーを設定することで、該ドローンが該ワイヤーに付帯した二つの該電極に対して一定の距離を保ちながら飛行できるようにする。該電極部に電気を流し、該ドローンに設定された二つのブラシをそれぞれ二つの該電極に接触させ続けることで、該ドローンが飛行しながら電力を受け続けることができる。
【発明の効果】
【０００６】
本発明により、飛行中のドローンへの必要な電力が継続的に与えられるため、該ドローンが飛行時間の制約をうけなくなり、特に人の搬送や荷送用ドローンでは、途中でバッテリー交換やバッテリーの充電をすることなく、遠方の目的地まで搬送が可能となる。
【図面の簡単な説明】
【０００７】
【図１】本発明の概要を示す。
【発明を実施するための形態】
【０００８】
金属製の太い丈夫なワイヤ-を張り、該ワイヤ-の下側に、絶縁部を設定し、該絶縁部に接するように、導電性の高い板状の金属で二つの電極を設定する。また、二つの板状の該電極部と正対するように、該ドローンに二個の距離センサーを設定することで、該ドローンが該ワイヤーに付帯した二つの該電極に対して一定の距離を保ちながら飛行できるようにする。該電極部に電気を流し、該ドローンに設定された二つのブラシをそれぞれ二つの該電極に接触させ続けることで、該ドローンが飛行しながら電力を得続けることができる。
【０００９】
図1において、ドローン本体1には、２個の距離センサー２と２個の給電用ブラシ３を設定し、またワイヤー６にはＹ字型ゴムブッシュ５を装着し、該Ｙ字型ゴムブッシュ５には、２個のアルミ薄板４がはめ込み接着されている。２個の該距離センサー２によって、２個の該アルミ薄板４との距離が一定に保たれながら飛行し続けることが可能となるため、該ドローン本体１に設定された２個の該ブラシが、該ワイヤー６に設定された２個の該アルミ薄板４に対し、それぞれが接触し続けることが可能となり、２個の該アルミ薄板４に電流を流すと、２個の該給電用ブラシ３経由で、該ドローン本体に通電される。すなわち、該ドローン本体１は、電力を受け続けることができるようになるため、何時間もの遠距離の飛行が可能となる。
尚、図１では給電ブラシ３が距離センサー２よりも外側に配置されているが、同位置や逆のパターンも可能である。また、図１にはワイヤー６の固定用の支持部等が記載されていないが、給電用ブラシ３及び距離センサー２は該支持部等に衝突しないよう設定するものとする。
【産業上の利用可能性】
【００１０】
本発明により、ドローンの飛行においてバッテリー交換やバッテリー充電等の作業がなくなり、長距離の飛行が可能になるため、人の運搬や荷物の運搬等での今後のドローンのメジャーな給電システムとなっていくと考えられる。
【符号の説明】
【００１１】
１  ドローン本体
２  距離センサー
３  給電用ブラシ
４  アルミ薄板
５  Ｙ字型ゴムブッシュ
６  ワイヤー
【図１】
2020011659.tif 000003
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
金属製の一本のワイヤ-の下側に電気的なＹ字型絶縁部を設定し、該絶縁部に導電性の高い板状の二つの金属を互いに離して接着することで、二つの電極を設定し、該電極にＤＣ又はＡＣの電気を流し、ドローンに設定された互いに離した金属に対向した二つのブラシを、二つの電極に接触させることで、飛行しながら電力を受け続けることが出来るドローン給電システムであって、さらに、前記互いに離した金属に対向する位置に、二個の距離センサーを設定することで、ドローンがワイヤーに付帯した電極に対して、一定の距離を保ちながら飛行できるようにしたドローン給電システム。
(57)【要約】【課題】  本発明は、ややもすれば外観的に無機質になりがちな美容水等において、豊かな色彩感による「楽しさ」と、球体の浮遊感による、アクアリウムにも似た「癒し」の双方を使用者に付与するため、着彩を施した高分子吸水ポリマーを封入した美容ウォーターを提供するものである。【解決手段】  容器内に様々な着彩を施した高分子吸水ポリマーを予め入れた上で美容ウォーターを充填すると、高分子吸水ポリマーが徐々に吸水することで約１０倍の球体状に膨潤する。これにより視覚的な「楽しさ」と「癒し」を使用者に与えるとともに、使用の際に球体が浮遊して美容ウォーターが攪拌され、成分の沈殿防止効果を併せ持つことを特徴とする。【選択図】なし【特許請求の範囲】
【請求項１】
着彩を施した高分子吸水ポリマーを美容ウォーターとともに容器内に封入・充填し、吸水膨潤した球体の高分子吸水ポリマーが外観から目視確認可能な美容ウォーター。
【発明の詳細な説明】
【技術分野】
【０００１】  本発明は、美容ウォーターの製造工程において、着彩を行った球体状の高分子吸水ポリマーを美容ウォーター内に投入することにより、美容ウォーターを攪拌しながら、彩豊かな浮遊感による視覚的な「癒し効果」を使用者に与える手法に関するものである。【０００２】  従来の化粧品や医薬部外品をはじめとした化粧水や保湿水等は、透明または乳白色のような無彩色のものが多く、視覚的効果付与については容器や外装への着彩など、高価な付加価値を付ける方法に頼らざるを得なかった。
【発明の概要】
【発明が解決しようとする課題】
【０００３】  これまでは次のような欠点があった。
（イ）製品自体への着彩が困難で、製品単体における視覚的な「癒し」が得られなかった。
（ロ）実際に使用する際はあくまでも美容目的のみであり、視覚における「楽しさ」に欠けていた。
本発明は、以上のような欠点をなくすためになされたものである。
【課題を解決するための手段】
【０００４】  予め透明・赤・青・紫・橙・黄・緑・の着彩を施した球体状の高分子吸水ポリマー適量粒を透明容器内に投入し、美容ウォーターを充填したもので構成される。高分子吸水ポリマーは、容器内の美容ウォーターを吸水しながら、約３時間を経て約１０倍に膨潤する。完全に膨潤した高分子吸水ポリマーは視覚的に色彩豊かな球体となり、静置した状態でも視覚的な「楽しさ」が得られるとともに、本製品を使用するたびに高分子吸水ポリマーが容器内をゆっくりと浮遊することで、視覚的な「癒し」を使用者に与えることができる。さらに、使用時は球体が浮遊することにより美容ウォーターを攪拌することで、内容成分の沈殿を防止する効果もある。
本発明は、以上の構成によりなる美容ウォーターの新たな視覚的表現方法である。
【発明の効果】
【０００５】（イ）単体にて静置した状態でも、色彩豊かな球体の高分子吸水ポリマーにより、視覚的な「楽しさ」が得られる。
（ロ）使用時に容器を動かすと、保湿水内で球体の高分子吸水ポリマーがゆっくりと浮遊することで、視覚的な「癒し」が得られる。
（ハ）使用時、球体の浮遊により美容ウォーターを攪拌することで、内容成分の沈殿を防止する効果がある。
【図面の簡単な説明】
【０００６】
【図１】本発明の静置状態における正面写真である。
【図２】本発明の高分子吸水ポリマーが浮遊した状態の正面写真である。
【発明の実施をするための形態】
【０００７】  以下、発明の実施をするための形態について説明する。
美容ウォーター、そして滅菌した透明の容器（以下、容器とする）、スプレー蓋を準備する。
容器内に、予め透明・赤・青・紫・橙・黄・緑・の着彩を施した球体状の高分子吸水ポリマーを適量数投入し、それから美容ウォーターを充填し、スプレー蓋を取り付けて完成となる。
本発明は、以上のような構造である。
本発明を使用するときは、スプレーを押して手のひらに噴射し、身体の一部に塗布する。
使用の度に高分子吸水ポリマーが浮遊することで、視覚的な「癒し」が得られるとともに、球体の浮遊により美容ウォーターが攪拌され、内容成分の沈殿を防止する。
使用後に静置することで、着彩豊かな高分子吸水ポリマーにより、まるでアクアリウムにも似た視覚的な「楽しさ」が得られる。
【符号の説明】
【０００８】  １  容器
２  スプレー蓋
３  美容ウォーター
４  膨潤した高分子吸水ポリマー
【図１】
2020011941.tif 000002
【図２】
2020011941.tif 000003
(57)【要約】【課題】車両の後部座席の安全ベルトの装着率が３０パーセント程度の現状を改善し、事故時に於ける非装着者の安全向上を計る方法である【解決手段】そこで、車両の内部にネットを張り、又は広げ、事故時など、後部座席の搭乗者が前方に飛び出す事態をネットにより受止め救命率の向上を目指すものである、【特許請求の範囲】
【請求項１】
車両の前部座席と後部座席の間、又は後部座席の座席の間にネットを張り、又は広げる機能を持たせ、車両の事故、又は急激な停車などによる搭乗者の前方への飛出しをネットで受け止める方法
【発明の詳細な説明】
【技術分野】
【０００１】自動車の後席搭乗者の安全方法
【背景技術】
【０００２】自動車後席の安全ベルトの装着率が低く、この引上げが社会問題化を為しているこれは安全ベルトの窮屈さからの回避が原因を為している
【先行技術文献】
【特許文献】
【発明の概要】
【発明が解決しようとする課題】
【０００３】車両後席の、安全ベルト非装着者の安全向上を計らんとするものである
【課題を解決するための手段】
【０００４】車両の運転席と後部座席との間にネット状の仕切り壁を設置するものであり、常時設営をする方法、又は、車両の走行中だけネットが広がる方法、又は、任意に天井又は床から引き出す方法、又は、天井から９０度の回転を為す方法、など種々な方策が考えられる、又、車種に対応して複数列の設置も必要であり、又、エアーバッグの機能の如く緊急時に連動し機能をする機能に為してもよい
【発明の効果】
【０００５】もし、車両が事故その他で急激な停止を為した場合、後部座席の安全ベルトの非装着の搭乗者は、慣性により前方へ飛ばされ重大な被害を受ける、そこでこの慣性により前方への飛出す搭乗者を、このネットにより受止め事故被害の軽減を目指すものである
【図面の簡単な説明】
【０００６】
【図１】仕切りネットの側面図の例
【図２】車両の後部座席
【図３】車両の前部座席
【発明を実施するための形態】
【０００７】前述の「受止めネット」を座席間に張れる機構を布設する、常設、天井伸縮稼働、巻き上げ、巻き下げ稼働、９０度回転稼働、など車種、形体、条件に合わせた方法で布設を為す
【符号の説明】
【０００８】１・安全仕切りネット            ２・車両の後部座席
３・車両の前部座席
【図１】
2020011701.tif 000002
【図２】
2020011701.tif 000003
【手続補正書】
【提出日】平成30年9月7日(2018.9.7)
【手続補正１】
【補正対象書類名】明細書
【補正対象項目名】０００６
【補正方法】変更
【補正の内容】
【０００６】
【図１】仕切りネットの側面図の例
【図２】車両の後部座席
(57)【要約】【課題】    自転車カバーを掛ける際の足腰、膝への負担を軽減させるために、自転車カバーの一端に重りを設けた、重り付き自転車カバーを提供する。【解決手段】自転車カバー（１）に前輪部側の重り（２）と後輪部側の重り（３）を設けた重り付き自転車カバーを特徴とする。【選択図】図１
2020011733.tif 000002
【特許請求の範囲】
【請求項１】
自転車カバー（１）に前輪部側の重り（２）と、後輪部側の重り（３）を設けた、重り付きの自転車カバー。
【発明の詳細な説明】
【技術分野】
【０００１】  この発明は、自転車カバーの前輪部側の先端と後輪部側の先端に重りを設けた、重り付き自転車カバーに関するものである。
【背景技術】
【０００２】  従来、自転車カバーの前輪部側の先端と後輪部側の先端に重りは設けられてはいなかった。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  これは、次のような欠点があった。
従来、自転車カバーの前輪部側の先端と後輪部側の先端には重りが設けられてはいなかったため、自転車カバーを自転車本体に掛ける際に、しゃがみ込む動作をしなければならず、この動作は足腰や膝の健康状態が悪い人にとって、苦痛を伴うものとなっていた。
また、従来の自転車カバーは掛けた際に、雨天時に雨水がカバーを掛けた前輪部側の荷物かごや、後輪部側のかご等に溜まってしまい、自転車使用時にカバーを取る際の障害となっていた。
そして、風が強い日は自転車カバーが風圧により飛散してしまうことが発生していた。
本発明は、以上のような欠点をなくすためになされたものである。
【課題を解決するための手段】
【０００６】  自転車カバー（１）の前輪部側のカバー部分の先端に、前輪部側の重り（２）と後輪部側のカバー部分の先端に、後輪部側の重り（３）を設ける。
本発明は、以上の構成よりなる、重り付き自転車カバーである。
【発明の効果】
【０００７】  自転車カバー前輪部側の先端と後輪部側の先端に重りが付いているため自転車本体上部にカバーを掛けるだけで、重りの自重作用により、自転車カバーを自転車本体の下部まで掛ける事ができるため、しゃがみ込むという動作が発生しないため、自転車カバーを掛ける際に発生する足腰や膝への負担を軽減する事ができる。
そして、自転車カバーの前輪部側の先端と後輪部側の先端に設けられた重りの自重作用により、自転車カバーが前輪部側と後輪部側とに引っ張られるため、自転車カバーに引張力が発生し、その引張力により自転車カバー自体にたるみが発生しないため、雨天時に雨水が自転車本体に付属されたかご等に溜まる事を防ぐ効果がある。
また、重りの自重作用により、風による自転車カバーの飛散を防止する。
【図面の簡単な説明】
【０００８】
【図１】  本発明の側面図である。
【図２】  本発明の前輪部側の正面図である。
【図３】  本発明の後輪部側の正面図である。
【発明を実施するための形態】
【０００９】  以下、本発明を実施するための形態について説明する。
自転車カバー（１）の前輪部先端の部分に前輪部側の重り（２）と後輪部先端の部分に後輪部側の重り（３）を付着させる。
本発明は以上のような構造である。
これを使用するときは、後輪部側の自転車カバーを一部分のみ自転車本体に掛けた状態で、前輪部側のカバーを掛ければいい。
【符号の説明】
【００１０】  １  自転車カバー
２  前輪部側の重り
３  後輪部側の重り
【図１】
2020011733.tif 000003
【図２】
2020011733.tif 000004
【図３】
2020011733.tif 000005
(57)【要約】【課題】従来のドーナッツ形状ネット輪クリーナーは軟質合成樹脂等の繊維を小さな編目で編み、円筒形状としたものを先端から丸めてドーナッツ形状としドーナッツ形状の中央でまとめて結束しただけである。このネットクリーナーを使う毎に型くずれをしてしまう。破損も早い。この欠点を除く為にドーナッツ形状ネット輪の中央に位置して軸棒の様にした円形状又は四角形状の硬質スポンジを挿入して双方を結束した食器用ネットクリーナーである。【解決手段】ドーナッツ形状ネット輪クリーナーが型くずれしない為に軸棒の様にした硬質スポンジが必要である。この硬質スポンジは硬質合成樹脂と人工ダイヤモンド等で成形し、その形状はドーナッツ形状ネット輪の内側円形と同程度の円形状又は四角形状のものである。この硬質スポンジをドーナッツ形状ネット輪の中央に位置して挿入し双方を適宜結束材を用いて結束した型くずれしない食器用ネットクリーナーである。【特許請求の範囲】
【請求項１】
ドーナッツ形状ネット輪と硬質スポンジをドーナッツ形状ネット輪の中央に位置して双方を適宜結束材を用いて結束した型くずれしない食器用ネットクリーナーである。
【請求項２】
ドーナッツ形状ネット輪は軟質合成樹脂等の繊維を小さな編目で編み円筒形状としたものを先端から丸めてドーナッツ形状ネット輪として形成されている
特許請求の範囲第１項記載の食器用ネットクリーナーである。
【請求項３】
硬質スポンジは硬質合成樹脂と人工ダイヤモンド等で成形し、その形状はドーナッツ形状ネット輪の内側円形と同程度の円形状又は四角形状のものと成る
特許請求の範囲第１項記載の食器用ネットクリーナーである。
【請求項４】
ドーナッツ形状ネット輪と軸棒の様にした硬質スポンジをドーナッツ形状ネット輪の中央に位置して挿入し双方を適宜結束材を用いて結束した
特許請求の範囲第１項記載の型くずれしない食器用ネットクリーナーである。
【請求項５】
ドーナッツ形状ネット輪と硬質スポンジを結束した食器用ネットクリーナーが相応の使用を維持する為に全体を荒い編目のネットでカバーした
特許請求の範囲第１項記載の型くずれしない食器用ネットクリーナーである。
【発明の詳細な説明】
【技術分野】
【０００１】食器用ネットクリーナーの１つである。汚れ落ちが良く、型くずれしない事が必要である。
その為に硬質スポンジをドーナッツ形状ネット輪の中央に位置して双方を結束した食器用ネットクリーナーである。
本発明はドーナッツ形状ネットの繊維と硬質スポンジを結束する為にネットクリーナ繊維の全体が引っぱられて型くずれしない様にした食器用ネットクリーナーに関するものである。
【発明が解決しようとする課題】
【０００２】従来のドーナッツ形状ネット輪クリーナーは軟質合成樹脂等の繊維を小さな編目で編み、円筒形状としたものを先端から丸めてドーナッツ形状としドーナッツ形状の中央でまとめて結束しただけである。このネットクリーナーを使う毎に型くずれをしてしまう。
破損も早い。この欠点を除く為にドーナッツ形状ネット輪の中央に位置して軸棒の様にした円形状又は四角形状の硬質スポンジを挿入して双方を結束した食器用ネットクリーナーである。
【課題を解決するための手段】
【０００３】ドーナッツ形状ネット輪クリーナーが型くずれしない為に軸棒の様にした硬質スポンジが必要である。この硬質スポンジは硬質合成樹脂と人工ダイヤモンド等で成形し、その形状はドーナッツ形状ネット輪の内側円形と同程度の円形状又は四角形状のものである。
この硬質スポンジをドーナッツ形状ネット輪の中央に位置して挿入し双方を適宜結束材を用いて結束した型くずれしない食器用ネットクリーナーである。
【図面の簡単な説明】
【０００４】
【図１】側面側
【図２】平面図
【符号の説明】
【０００５】１．ドーナッツ形状ネット輪
２．硬質スポンジ（軸棒）
３．結束部分
４．ネットカバー
【図１】
2020011018.tif 000002
【図２】
2020011018.tif 000003
(57)【要約】【課題】  男性向の外見重視のデザイン、菱形の日傘を提供する。【解決手段】  ８本の親骨を１つ飛しに露先を短かくして、全形を菱形にする。傘布は風景などをプリントして日傘らしさを計かる。【選択図】図２
2020011020.tif 000002
【特許請求の範囲】
【請求項１】
折りたたみ傘の親骨８本の内２、４、６、８の親骨を短かくして、３・７の親骨も１・５より少し短かくし、１・３、３・５、５・７、７・１間を一直線にして、傘布を菱形にすることで雨傘との区別化をはかり、傘布に明るい生地を使用するか、風景などをプリントして見た目も涼しく見える工夫をした菱形の日傘。
【請求項２】
手元（ハンドル）はＪ字型から改良したハンドルを使用する。Ｊ字型は手首を立てて持つので、風の抵抗などで重く感じ、疲れやすい。手首を少し傾けてハンドルを持つ図３のハンドルは、傘事体の重心を中棒の下部に逃すので重さも半減する  又、ハンドルは陶器、磁器、ガラス製などを含む素材も多種ある請求項１記載の菱形の日傘。
【発明の詳細な説明】
【技術分野】
【０００１】  この発明は、折たたみ傘などの紳士用日傘に関するもの。
【背景技術】
【０００２】  日傘は雨傘との兼用が一般的で婦人用が主流であって、男性用日傘は少ない。【０００３】  従来の日傘は女性用を目的として製造されているが、最近男性も日傘を求めている。
【先行技術文献】
【特許文献】
【０００４】
【特許文献１】特開２００５−１１１２２５号公報
【特許文献２】実登３０６４３９４号公報
【発明の開示】
【発明が解決しようとする課題】
【０００５】  兼用傘は利便性はあるが、男性には借物的で使用する男性は少ないのが現状である。【０００６】  このような問題点を解決すべく、日傘を男性に必需品として使用してもらえるために考案するものです。
【課題を解決するための手段】
【０００７】  日傘の形状から変えることで、インパクトを与える菱形にする。日傘の親骨はあまり丸味をつけない。むしろ曲線を生したフォルムにすることで男性用を強調する。【０００８】  傘布には明るい色の生地にするか、夏の風景などをプリントして区別化を計る。内側は紫系で統一する。傘布は紫外線、遮光対策に既存の製品を使用。【０００９】  手元（ハンドル）は常套化したＪ字型から、図３のハンドルにすることで長時間持っていても疲れにくい。傘の重さが中棒とハンドルに分散されるので楽に持つことができる。【００１０】  持ち手の角にくぼみをつけているので、（図３）テーブルなどへ引っかけて置くことができます。素材は角、竹、木、プラスチック。陶器、磁器、模様入ガラスは保護の樹脂などで被膜する。
【発明の効果】
【００１１】  菱形の日傘は男性用と認知される要素があり、誰もが認める男性用日傘として期待できる。帽子は蒸せるという欠点があり、日傘の代りにはなれない。【００１２】  男性の抜け毛、薄毛の原因の一つに頭皮の無防備が原因とも言われている。日傘が男性の抜け毛、薄毛を救うかもしれません。
【発明を実施するための形態】
【００１３】  本発明の実施の形態について説明すると、傘布を菱形にするには図１の２、４、６、８を１・３の平行線上まで短かくする。３・７は１・５より少し短かくすることで、３・５、５・７、７・１も同様にすれば菱形になりバランスもよい。
【００１４】  手元（ハンドル）も角度によって傘の重さは直下にくるので、図３のハンドルは少しななめに持つことで手首も疲れない。ハンドルの持ち手の勾配は７度前後での傾きが理想。
【００１５】  正面に１・５の線上に図３のハンドルの持ち手を置くことで、風の抵抗を受けにくく軽い日傘になった。
【００１６】  図３のハンドルに関しては雨傘、（長傘）へ転用ができる。
【図面の簡単な説明】
【００１７】
【図１】  本件の平面図
【図２】  本件の斜射図
【図３】  手元の斜射図
【符号の説明】
【００１８】
2020011020.tif 000003
Ａ  傘布
Ｂ  中棒
Ｃ  手元（ハンドル）
Ｄ  くぼみ
【図１】
2020011020.tif 000004
【図２】
2020011020.tif 000005
【図３】
2020011020.tif 000006
【手続補正書】
【提出日】令和1年8月19日(2019.8.19)
【手続補正１】
【補正対象書類名】特許請求の範囲
【補正対象項目名】請求項１
【補正方法】変更
【補正の内容】
【請求項１】
折りたたみ傘の親骨８本の内２・４、６・８の親骨を短かくして、３・７の親骨も１・５より少し短かくし、１・３、３・５、５・７、７・１間を一直線にして、傘布を菱形にすることで雨傘との区別化をはかり、傘布に明るい遮熱フイルムを使用するか、風景などをプリントして見た目も涼しく見える工夫をした菱形の日傘。
【手続補正２】
【補正対象書類名】明細書
【補正対象項目名】０００８
【補正方法】変更
【補正の内容】
【０００８】  傘布には明るい色の遮熱フイルムにするか、夏の風景などをプリントして区別化を計る、内側は紫系で統一する。傘布は紫外線、遮光対策に既存の製品を使用。
(57)【要約】【課題】据置型マッサージ具には、壷位置調整柄がついていないため据置型マッサージ具を壷位置におくために何度も起き上がって位置調整をしなければならなかった。【解決手段】据置型マッサージ具に上へのっても痛くない柔らかい材質の据置型マッサージ具用の壷位置調整柄を設けこれにより、据置型マッサージ具の壷位置を寝転んだまま、調整できるようにした。【選択図】図１
2020011012.tif 000002
【特許請求の範囲】
【請求項１】
壷位置調整柄
【発明の詳細な説明】
【技術分野】
【０００１】この発明は、壷位置調整柄に関する。
【背景技術】
【０００２】従来据置型マッサージ具は壷位置調整柄が付いていないものである。
【先行技術文献】
【非特許文献】
【０００３】
【非特許文献１】トリッガー通販・インタ−ネットマッサージボール
【発明の概要】
【発明が解決しようとする課題】
【０００４】しかしながら、以上の技術によれば、据置型マッサ−ジ具を壷位置に置くために何度も起き上がって位置調整をしなければならなかった。そこで、この発明はスピーディに据置型マッサージ具を壷位置に置くことを課題とする。
【課題を解決するための手段】
【０００５】以上の課題を解決するために、本発明は据置型マッサージ具用に上にのっても痛くない柔らかい材質の適度な長さの壷位置調整柄を付ける。据置型マッサージ具の種類は問わない。
【発明の効果】
【０００６】本発明によれば、据置型マッサージ具に据置型マッサージ具用壷位置調整柄を付けることで、何度も起き上がって、据置型マッサージ具を置き直さなくても、寝転んだまま据置型マッサージ具をスピーディに壷位置に置く事ができる。
【図面の簡単な説明】
【０００７】
【図１】この発明の一実施形態を示す斜視図である。
【発明を実施するための形態】
【０００８】この発明の一実施形態を、図１に示す。
据置型マッサージ具に据置型マッサージ具用壷位置調整柄を付ける。
【０００９】「実施形態の効果」
この実施形態によれば、据置型マッサージ具に上にのっても痛くない材質の据置型マッサージ具用壷位置調整柄を付けてあるので、何回も起き上がって据置型マッサージ具の位置を置きなおさなくても寝転んだまま壷位置調整柄により壷位置に据置型マッサージ具をスピーディにおくことができる。又、マッサージ具を付けない柄の片側には、収納部を設け膏薬等のシート等を入れることができる。
【００１０】「他の実施形態」
図１の実施形態では、１セットの柄付き据置型マッサージ具であるが、２セットの柄付き据置型マッサージ具を両手で使用しても良い。
【００１１】図１の実施形態では、１本の柄に１個の据置型マッサージ具がついているが、２個等複数の据置型マッサージ具を柄の片側や両側に付けられるようにしても良い。又、それぞれマッサージ具の種類を変えても良い。
【００１２】図１の実施形態では、据置型マッサージ具を付けない柄の片側は収納部が設けてあるが、収納部を設けず手でつかみやすいような紡錘形等に加工してもよい。
【００１３】図１の実施形態では、壷位置調整柄は、角状の断面形状であるが、台形や半円形状の断面形状の柄でも良い。
【００１４】図１の実施形態では、壷位置調整柄は柔らかい材質のものであるが、針金やピアノ線のような細くて硬いものに、上にのっても痛くない材質のもので被覆しても良い。
【００１５】図１の実施形態では、壷位置調整柄の角は何も加工していないが、上にのった時、違和感がないように角に丸みを付けても良い。
【符号の説明】
【００１６】１、据置型マッサージ具                ２、壷位置調整柄本体
３、据置型マッサージ具押さえバンド    ４、マジックテープ
５、壷位置調整柄底部                  ６、収納部
７、蓋
【図１】
2020011012.tif 000003
(57)【要約】【課題】濡れた傘を干すに当り、風で飛ばされる事がない、かつこれを防ぐ為に傘をロープで柵などに縛り付けるなどの面倒な作業が不要な傘干しできる傘立て器を提供する事であり、狭い場所でも干せるコンパクトな傘立て器を提供することである。【解決手段】傘立て器に、傘の先を挿入して傘を垂直より外側へ傾斜させた状態に支持する傾斜支持部３を備え、かつこの傾斜支持部３に挿入された傘は傘軸にあるストッパー４を働らかせて閉じた傘の骨５が自由に開かない状態で挿入されている様にした。【選択図】図１
2020011019.tif 000002
【特許請求の範囲】
【請求項１】
傘を収納する傘立て器に、傘の先を挿入して傘を垂直より外側へ傾斜させた状態に支持する傾斜支持部を備え、かつ前記傾斜支持部に挿入された傘は傘軸にあるストッパーを働らかせて閉じた傘の骨が自由に開かない状態で挿入されている様にした傘干しできる傘立て器。
【発明の詳細な説明】
【技術分野】
【０００１】本発明は傘干しできる傘立て器に関するものである。
【背景技術】
【０００２】一般に濡れた傘を示す場合、傘干しに適する商品は存在せず、例えば玄関先に傘を開いて干すと風に飛ばされる事があり、ベランダの柵などにロープで縛り付け付けて干せばこの心配はないが、ロープで縛り付ける作業が面倒である。
傘を開いて柄を竿に掛けて干す人もいるが、風に飛ばされる心配は依然としてあるし、風に吹かれて動き回り危険である。いずれも傘干しに適する傘干し器がない事が原因である。
【発明の開示】
【発明が解決しようとする課題】
【０００３】本発明の目的は濡れた傘を干すに当り、風で傘が飛ばされる事がない、かつ風で飛ばされる事を防ぐ為に傘をロープで柵などに縛り付けるなどの面倒な作業が不要な傘干しできる傘立て器を提供する事であり、簡単に傘をセットでき、見栄えが良くなる傘干しできる傘立て器を提供する事である。かつ傘を干す場合は傘を開いて干す為、スペースを取って狭い場所には置けないので、コンパクトに干す構造のものを提供することである。
【課題を解決する為の手段】
【０００４】傘を収納する傘立て器に、傘の先を挿入して傘を垂直より外側へ傾斜させた状態に支持する傾斜支持部を備え、かつこの傾斜支持部に挿入すべき傘は傘軸にあるストッパーを働らかせて閉じた傘の骨が自由に開かない状態で挿入したものである様にした。
【発明の効果】
【０００５】本発明によれば傘軸にあるストッパーを働らかせて閉じた傘の骨が自由に開かない状態で干すので、場所を取らずにコンパクトに干す事ができる。傘をこの様な状態で干すが、傘布は重なっておらず、乾きに問題はない。傘の骨は適度な直径で広がっており、日光や風などで傘の裏側は乾きが良く、傘の骨に錆が出るのを防止する。又、傘の先を傾斜支持部に挿入するだけで簡単に傘を干す事ができ、セットが楽であり、腰をかがめる必要もない。加えて、従来の様にベランダの柵などにロープで縛り付けて固定するなどの面倒な作業が不要であり、傘を開いて玄関先に置いたり、竿に掛けたりする時の様な風に飛ばされる心配もない。
又、雨の日に帰宅したら天気の良くなる日を待たずに直ぐに傘干しできる為、傘が長持ちする。
【発明を実施する為の形態】
【０００６】図１（イ）、（ロ）、（ハ）は本発明による傘干しできる傘立て器で、先ず図１（イ）、（ロ）において１は傘立て器の倒れを防止する重りで、傘の先を挿入して傘を垂直状態に支持する垂直支持部２（垂直穴）と傘の先を挿入して傘を垂直より外側へ傾斜させた状態に支持する傾斜支持部３（傾斜穴）を備えている。垂直支持部２は図１（イ）では２個、図１（ロ）では３個であるから、傘を前者では２本、後者では３本収納する事ができる。図１（イ）、（ロ）の傘立て器の使用状態を図２（イ）、（ロ）にＡ方向から見て示すが、傾斜支持部３には干そうとする傘の先を挿入し、干す必要のない傘は垂直支持部２に傘の先を挿入する。この場合、傾斜支持部３に挿入する傘は図１（ニ）、（ホ）の如く傘軸にあるストッパー４を働らかせて閉じた傘の骨５が自由に開かない状態にして傘の先を挿入する。この様な状態であってもＢ矢視図を示した図１（ホ）の如く傘の布は重なっておらず、乾きに問題はなく、傘の骨５は適度な直径で広がっているから、日光や風などで傘の裏側が乾き易く、傘の裏側にある骨５の錆の発生を防止するのに適している。図１（ロ）において傾斜支持部３の対向位置にある垂直支持部２を傾斜支持部に変更すれば、図２（ハ）の如く傘を２本同時に干す事ができる。図１（ハ）に示す傘立て器は垂直支持部２を４個、傾斜支持部３を２個としたもので、使用状態を図２（ニ）に示す。垂直支持部２を６個、８個、…と増してゆけばより多くの傘を収納する事ができる。図３（イ）に示す傘立て器は、３個の垂直支持部２の内の１つの垂直支持部２に（できる限り）近接して傾斜支持部３を備えたもので、使用状態をＡ方向から見て図３（ロ）に示す。濡れた傘は傾斜支持部３に傘の先を挿入され、傘が乾いたら図３（ハ）の如く傾斜支持部３に近接する垂直支持部２に傘の先を挿入して収納する。こうすると傘は全て垂直に立つので、コンパクトに収納できる。図３（ニ）、（ホ）に示す傘立ては垂直支持部２に近接する傾斜支持部において、両者の位置関係が放射状になる様に配置されたもので、垂直に収納された４本（図３（ニ）の場合）又は３本（図３（ホ）の場合）の傘を一度に最大各々４本又は３本干す事ができるものである。図３（ヘ）に示す傘立ては３個の垂直支持部２と両端部にある各々の垂直支持部２にこれに近接して傾斜支持部３を備えたものである。３本の傘を垂直に収納し、２本の傘を一度に干す事ができる。図４（イ）はカゴ形の傘立て器６に本発明を実施したもので、支持部材７に傾斜支持部８を備えている。使用状態をＣ方向から見て図４（ロ）に示すが、傘の先は傾斜支持部８に挿入され、傘軸にあるストッパーを働らかせて閉じた傘の骨が自由に開かない状態にして挿入される。
傘が乾いたら傾斜支持部８に傘の先を挿入したままで収納しても良いが、図４（ハ）の様に傾斜支持部８に近接して備えられた垂直支持部９を新設して、ここに傘の先を挿入すればコンパクトに収納する事ができる。
【図面の簡単な説明】
【０００７】
【図１】本発明による傘干しできる傘立て器を示す図。
【図２】本発明による傘干しできる傘立て器の使用状態を示す図。
【図３】本発明による傘干しできる傘立て器とその使用状態を示す図。
【図４】本発明による傘干しできるカゴ形傘立て器とその使用状態を示す図。
【符号の説明】１は重り、２・９は垂直支持部、３・８は傾斜支持部、４はストッパー、５は傘の骨、６はカゴ形の傘立て器、７は支持部材である。
【図１】
2020011019.tif 000003
【図２】
2020011019.tif 000004
【図３】
2020011019.tif 000005
【図４】
2020011019.tif 000006
(57)【要約】      （修正有）【課題】ミウラ折りを施した圧縮携帯型敷物シートを提供する。【解決手段】片面に発泡ポリエチレンのシートと他の片面にアルミシートを有する敷物にミウラ折りを施し面ファスナーで圧縮固定する。【選択図】図１
2020011007.tif 000002
【特許請求の範囲】
【請求項１】
発泡ポリエチレンシートとアルミ蒸着シートを設けた敷物シートであり、折り畳み方法にミウラ折りやＺカード折りを施し、表紙（４）と裏表紙（５）で折り畳まれた敷物シートの厚みを挟み込み面ファスナー（６）で圧縮固定して収納することを特徴とした圧縮携帯型敷物シート。
【発明の詳細な説明】
【技術分野】
【０００１】本発明はミウラ折りを圧縮し携帯型にした敷物シートに関するものである。
【背景技術】
【０００２】従来、ミウラ折りは地図や広告や大型のレジャーシートに使用されるものがあり、礼拝用の敷物は伝統的な礼拝マットやヨガマットがあった。
【発明の概要】
【発明が解決しようとする課題】
【０００３】  そのために次のような問題点があった。
（イ）従来の敷物シートはミウラ折りでも折り畳みの膨らみが出て嵩張るものである。
（ロ）従来の礼拝マットやヨガマットは重量があり携帯するのが大変で、礼拝は一日５回      礼拝マットがある場所に行くのも大変であった。
（ハ）従来の礼拝マットは撥水性が少なく、拭き上げて掃除ができなかった。
【課題を解決するための手段】
【０００４】片面に発泡ポリエチレンのシートを設け、他の片面にアルミ蒸着フィルムのシートを設け、折り畳みにミウラ折りを施し、表紙に面ファスナーを設け、表紙と裏表紙で挟み込み折り畳みの膨らみを面ファスナーで圧縮固定させる。
【発明の効果】
【０００５】発泡ポリエチレンシートとアルミ蒸着シートは両面とも軽量で撥水性に優れ、汚れを拭き上げて掃除ができ、ミウラ折りのコンパクト収納で携帯でき、礼拝用、ヨガ用、野外用、防災用の敷物になり、光を反射する銀色のアルミシートを表面にすると夏用、光を吸収する黒色の発泡ポリエチレン面を表面にすると冬用のサンシェードになる。
【図面の簡単な説明】
【０００６】
【図１】本発明の発泡ポリエチレン面の図である。
【図２】本発明のアルミシート面の図である。
【図３】本発明の両面を発泡ポリエチレン面又はアルミシート面にした実施例である。
【図４】本発明の他の折り畳み方法にした実施例である。
【発明を実施するための形態】
【０００７】以下、本発明の実施の形態について説明する。
（イ）片面に発泡ポリエチレン面（２）他の片面にアルミ蒸着シート面（３）の二層構造      にした本体（１）を設け、発泡ポリエチレン面（２）は黒色や暗い色合いのマット      のデザインがプリントされて礼拝用やヨガ用に使用でき、汚れが目立たない。
（ロ）本体（１）は縦が７００ｍｍと横が１１００ｍｍであり、本体（１）は縦５分割、      横８分割の升目を有するミウラ折りが施され、発泡ポリエチレン面（２）の前記、      分割された升目最上段の最右升部に表紙（４）を接着して設け、最下段の最左升部      に裏表紙（５）を接着して設け、ミウラ折りを開閉する表紙（４）と裏表紙（５）      としてプラスチック製の板状か防水加工済みの硬い紙製で設ける。
（ハ）本体（１）のサイズを縦５９４ｍｍ横８４１ｍｍにすると表紙（４）と裏表紙（５      ）がＡ１サイズの定形型になるコンパクトサイズとなり、本体（１）のサイズを縦      ７００ｍｍ横１３００ｍｍにすると防風防雨の肩掛けショールとして防災品にもな      る。
（ニ）表紙（４）に有する面ファスナー（６）はミウラ折りで畳んだ時の本体（１）の膨      らみを表紙（４）と裏表紙（５）で挟み込み圧縮固定して閉じる。
（ホ）他の実施例として図３は本体（１）の両面を発泡ポリエチレン面にしたもの、また      は本体（１）の両面をアルミ蒸着シート面にしたものである。
（ヘ）また、他の実施例として図４は折り畳み方法をＺカード折りにした実施例である。      本発明は以上のような構成である。
本発明を使用するときは図３のように、面ファスナー（６）を外して表紙（４）と      裏表紙（５）を両手で開き、敷物シートとして使用、使用後は両手で表紙（４）と      裏表紙（５）を閉じながら本体（１）を折り畳んで収納し面ファスナー（６）で閉      じる、敷物として礼拝シート、ヨガ用シート、屋外用シート、防災用シート、また      本発明者が考案する吸盤型留め具を使用するとサンシェードとして利用できる。
【符号の説明】
【０００８】      １本体
２発泡ポリエチレン面
３アルミシート面
４表紙
５裏表紙
６面ファスナー
７山折り
８谷折り
【図１】
2020011007.tif 000003
【図２】
2020011007.tif 000004
【図３】
2020011007.tif 000005
【図４】
2020011007.tif 000006
【手続補正書】
【提出日】平成30年12月14日(2018.12.14)
【手続補正１】
【補正対象書類名】明細書
【補正対象項目名】０００１
【補正方法】変更
【補正の内容】
【０００１】本発明は折りたたみ跡の形状の記憶を施し、圧縮して携帯型にした敷物シートに関するものである。
【手続補正２】
【補正対象書類名】明細書
【補正対象項目名】０００７
【補正方法】変更
【補正の内容】
【０００７】（ヘ）また、他の実施例として図４は折り畳み方法にＺカード折りにした実施例である。
本発明は以上のような構成である。
本発明を使用するときは図３のように、面ファスナー（６）を外して表紙（４）と裏表紙（５）を両手で開き、敷物シートとして使用、使用後は両手で表紙（４）と裏表紙（５）を閉じながら本体（１）を折り畳んで収納し面ファスナー（６）で閉じる、敷物として礼拝シート、ヨガ用シート、屋内外用シート、防災用シート、またサンシェードとして利用できる。
【手続補正４】
【補正対象書類名】特許請求の範囲
【補正対象項目名】全文
【補正方法】変更
【補正の内容】
【特許請求の範囲】
【請求項１】
ミウラ折り様式やＺカード折り様式などで折り畳み跡の形状の記憶を施した敷物シートであり、表紙（４）と裏表紙（５）の位置で折り畳まれた敷物シートの厚みを挟み込み圧縮固定して収納することを特徴とした圧縮携帯型敷物シート。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
ミウラ折り様式やＺカード折り様式などの折り畳みの形状の記憶を施した敷物シートであり、その折り畳まれた敷物シートの厚みを圧縮固定して収納するための帯を有することを特徴とした圧縮携帯型敷物シート。
(57)【要約】      （修正有）【課題】スピーディにマッサージボールを壷位置におくことができる壷位置調整柄付マッサージボールを提供する。【解決手段】マッサージボール１に上へのっても痛くない柔らかい材質の適度な長さの壷位置調整柄２を付ける。これにより、何度も起き上がって、マッサージボールを置き直さなくても、寝転んだままマッサージボールをスピーディに壷位置に置くよう、調整できるようにした。【選択図】図１
2020011008.tif 000002
【特許請求の範囲】
【請求項１】
壷位置調整柄付マッサージボール
【発明の詳細な説明】
【技術分野】
【０００１】この発明は、壷位置調整柄付マッサージボールに関する。
【背景技術】
【０００２】従来マッサージボールは壷位置調整柄が付いていないものである。
【先行技術文献】
【非特許文献】
【０００３】
【非特許文献１】トリッガー通販・インタ−ネットマッサージボール
【発明の概要】
【発明が解決しようとする課題】
【０００４】しかしながら、以上の技術によれば、マッサージボールを壷位置に置くために何度も起き上がってマッサ−ジボールを置き直さなければならなかった。そこで、この発明はスピーディにマッサージボールを壷位置に置くことを課題とする。
【課題を解決するための手段】
【０００５】以上の課題を解決するために、本発明はマッサージボールに上にのっても痛くない柔らかい材質の適度な長さの壷位置調整柄を付ける。ボールの材質は問わない。
【発明の効果】
【０００６】本発明によれば、マッサージボールに壷位置調整柄を付けたことで、何度も起き上がって、マッサージボールを置き直さなくても、寝転んだままマッサージボールをスピーディに壷位置に置く事ができる。
【図面の簡単な説明】
【０００７】
【図１】この発明の一実施形態を示す斜視図である。
【発明を実施するための形態】
【０００８】この発明の一実施形態を、図１に示す。
マッサージボールに壷位置調整柄を付ける。
【０００９】「実施形態の効果」
この実施形態によれば、マッサージボールに上にのっても痛くない材質の壷位置調整柄が付いているので、何回も起き上がってマッサージボールの位置を置きなおさなくても寝転んだまま壷位置調整柄により壷位置にマッサージボールをスピーディに置く事ができる。
【００１０】「他の実施形態」
図１の実施形態では、１セットの柄付きマッサージボールであるが、２セットの柄付マッサージボールを両手で使用しても良い。
【００１１】図１の実施形態では、１本の柄に１個のマッサージボールがついているが、２個等複数のボールを柄の片側や両側や真ん中に付けても良い。又、それぞれボールの大きさ、硬さを変えても良い。
【００１２】図１の実施形態では、マッサージボールは柄に固着してあるが、脱着できるようにしてボールの大きさや硬さを違うものに交換できるようにしても良い。
【００１３】図１の実施形態では、ボール形状のマッサージ部であるが、半球状や円錐や三角錐や多角錐等の形状でも良く、マッサージ部は１個ではなく複数個でも良く、これらの形状の組み合わせでも良い。
【００１４】図１の実施形態では、マッサージ部は単純なボール形状であるが表面に凹凸加工をしたり、磁気マッサージ用マグネットを埋め込む等してマッサージ効果を高めても良い。他の形状のマッサージ部での同様な表面加工でも良い。
【００１５】図１の実施形態では、ボールの付いていない柄の片側は何も加工していないが手でつかみやすいような紡錘形等に加工しても良い
【００１６】図１の実施形態では、ボールに付けた柄は、角状の断面形状であるが、台形や半円形状の断面形状の柄でも良い。
【００１７】図１の実施形態では、ボールに付けた柄は柔らかい材質のものであるが、針金やピアノ線のような細くて硬いものに、上にのっても痛くない材質のもので被覆しても良い。
【００１８】図１の実施状態では、ボールに付けた柄の角は何も加工していないが、上にのった時、違和感がないように角に丸みを付けても良い。
【符号の説明】
【００１９】１、マッサージボール  ２、壷位置調整柄
【図１】
2020011008.tif 000003